(57)【要約】【課題】  建築物壁面を利用する屋外広告において、広告主の交代、あるいは広告内容の変更等に応じて多額の費用と熟練者による作業を要することなく迅速かつ容易に広告表示体を交換することができる広告表示方法を提供すること。【解決手段】  ビル、映画館、イベント会場等の建築物壁面２に表面がスチール等の磁性体からなる磁性体基板３を形成し、表面に広告を表示したマグネットシート６からなる広告物を磁着させて広告表示する方法である。【選択図】  図１
2006313204.tif 000002
【特許請求の範囲】
【請求項１】
ビル等の建築物の壁面の全部又は一部に形成された磁性体面に対し、表面に広告を表示したマグネットシートからなる広告物を磁着することを特徴とする広告表示方法。
【請求項２】
前記磁性体面は、ビル等の建築物の壁面の全部又は一部にスチール等の磁性体を点状若しくは面状に取付けることにより形成することを特徴とする請求項１記載の広告表示方法。
【請求項３】
前記磁性体面は、ビル等の建築物の壁面の全部又は一部に磁石体を取付けることにより形成することを特徴とする請求項１記載の広告表示方法。
【請求項４】
前記磁性体面は、ビル等の建築物の壁面の全部又は一部に鉄粉、磁石粉等の粉状磁性体を吹きつけ等の手段により接着することにより形成することを特徴とする請求項１記載の広告表示方法
【請求項５】
表面に広告を表示したマグネットシートからなる広告物は、マグネットシート本体の一方面にラミネートした紙または合成樹脂フィルムからなる薄膜状印刷シートの印刷シート面に複写機、プリンター、プロッター等の印刷機を用いて広告の表示体が印刷されていることを特徴とする請求項１記載の広告表示方法。
【発明の詳細な説明】
【技術分野】
【０００１】
本発明はビル等の建築物の外壁面に屋外広告シートを設置するための広告表示方法に関し、特に広告シートを、広告主の交代、広告内容の変更等に応じて迅速かつ容易に交換することができ、広告シートが剥離したりするおそれもなく、さらには、常時整然と安定した広告シートの掲示状態を維持することができる広告表示方法に関する。  
【背景技術】
【０００２】
ビルやイベント会場等建築物の外壁面を利用する屋外広告は頻繁に行われている。ビルの外壁を利用する屋外広告は野立て看板等に広告表示する場合に比べ、道に面した高い場所に大規模な広告表示をすることができるので、歩行者の視野に入りやすく広告効果も大きい。
【０００３】
建築物の外壁面を利用した屋外広告の代表的なものには、建物外壁に施工した広告表示体の接着基板に紙等からなるポスターに接着剤を塗布しながら接着する方法がある。このような広告表示方法にあっては、ポスターが剥がれたり、あるいは接着したポスターに凹凸が生じないようにするため接着剤をムラなくポスター裏面に塗布し、かつ空気が入らないようにするために専門的技能を有する作業者により慎重かつ熟練を要する接着作業を要さざるを得ないことから、広告の交換に際しては多くの時間と手間と多額の費用を余儀なくされていた。さらに、接着後時間が経過すると接着剤が硬化するため、広告の交換に際して、不要になったポスターを剥す作業は大変煩雑で時間がかかるという問題があった。
【０００４】
また、あらかじめ粘着剤が塗布されその上に剥離紙が接着されているステッカータイプのポスターの前記剥離紙を剥しながら、ポスターを接着する方法がある。このような方法においても、大型のポスターを水平に貼る作業は困難である。特に大型のポスターの場合は複数のポスターを隣接するように貼り合わせて一つの表示体にするが、この場合の絵合わせが非常に困難であり、更に広告表示体の接着基板に貼る際に空気が入りやすいことから専門的技能を有する作業者により慎重かつ熟練を要する接着作業を要さざるを得ない。よって、広告の交換に際しては多くの時間と手間と多額の費用を余儀なくされていた。さらに、接着後時間が経過すると粘着剤が硬化するため、広告の交換に際して、不要になったポスターを剥す作業は大変煩雑で時間がかかるという問題があった。
【０００５】
特にイベント会場のように短期間で広告主の交代や広告内容の変更がある場合には、迅速にポスターを交換する必要があるにもかかわらず交換作業はわずらわしく手間のかかるものであった。また比較的長期間広告を表示するものにあっても商品のサイクルによって広告を交換することが理想的であるが、結局は交換に際してのわずらわしさからそのままの状態にしておくことが多かった。さらに、広告の依頼がない場合に大型の接着基板が建物外壁に施工されたままの状態であるから、建物の景観を乱すという問題もあった。
【０００６】
ところで、上記問題点を解決し得る容易に着脱可能な広告表示体として、マグネットシートを利用することが考えられる（特許文献１）。特許文献１に記載のマグネットシートからなる広告表示体は、マグネットシート本体の一方面に紙又は合成樹脂フィルムからなる薄膜状の印刷シートをラミネートし、この印刷シート面に複写機、プリンター、プロッター等の印刷機により、絵画、広告等の表示体を印刷したものである。
【０００７】
このマグネットシートは磁性体のみに磁着可能であるため額や野立て看板等のスチールからなる基板には磁着することは容易であり、また磁着した後は人為的に剥離しない限り自然に剥がれることはないというメリットがある。しかし、コンクリートやレンガ等の非磁性体には磁着できずこれまではビル等建築物の外壁を使用する大規模な屋外広告への利用は難しかった。
【特許文献１】特開２００３−３２６８９９号公報
【発明の開示】
【発明が解決しようとする課題】
【０００８】
上記のように建築物の外壁面を利用した屋外広告にあって、広告物が剥がれたり、あるいは接着したポスターに凹凸が生じないようにするため接着剤をムラなくポスター裏面に塗布し、かつ空気が入らないようにするため、または、ポスターの絵合わせが非常に困難であることから、専門的技能を有する作業者により慎重かつ熟練を要する接着作業を要さざるを得ず、広告の交換に際しては多くの時間と手間と多額の費用を余儀なくされていた。さらに広告の交換に際して、不要になったポスターを剥す作業は大変煩雑で時間がかかるという問題があった。
【０００９】
本発明にあっては、ビル等建築物の外壁面を利用する屋外広告において、広告主の交代、あるいは広告内容の変更等に応じて多額の費用と熟練者による作業を要することなく迅速かつ容易に広告表示体を交換することができる広告表示方法を提供することにある。
【００１０】
本発明の第二の目的は、広告表示体が自然に剥がれたり、あるいは凹凸面ができて見にくい等のおそれもなく、また交換に際しては剥しやすく、接着剤が残ったりすることもなく効果的な広告機能を充分に発揮できる広告表示方法を提供することである。
【００１１】
本発明の第三の目的は、広告表示をしない状態においても建物の景観を乱すことのない広告表示方法を提供することである。
【課題を解決するための手段】
【００１２】
上記目的を達成するため、ビル等の建築物の壁面の全部又は一部に形成された磁性体面に対し、表面に広告を表示したマグネットシートからなる広告物を磁着することを特徴とする。
【００１３】
また、前記磁性体面は、ビル等の建築物の壁面の全部又は一部にスチール等の磁性体を点状若しくは面状に取付けることにより形成することを特徴とする。
【００１４】
また、前記磁性体面は、ビル等の建築物の壁面の全部又は一部に磁石体を取付けることにより形成することを特徴とする。
【００１５】
また、前記磁性体面は、ビル等の建築物の壁面の全部又は一部に鉄粉、磁石粉等の粉状磁性体を吹きつけ等の手段により接着することにより形成することを特徴とする。
【００１６】
さらに、表面に広告を表示したマグネットシートからなる広告物は、マグネットシート本体の一方面にラミネートした紙または合成樹脂フィルムからなる薄膜状印刷シートの印刷シート面に複写機、プリンター、プロッター等の印刷機を用いて広告の表示体が印刷されていることを特徴とする。
【発明の効果】
【００１７】
ビル等の建築物の壁面の全部又は一部に形成された磁性体面に対し、表面に広告を表示したマグネットシートからなる広告物を磁着することで、建築物の外壁面を屋外広告の基板として利用することができる。
【００１８】
すなわち、磁性体面にマグネットシートを磁着するだけで広告表示が可能となるため、専門的技能を有する作業者により慎重かつ熟練を要する接着作業をする必要がない。さらにマグネットシートは、マグネットシートの端部を捲りあげるだけで簡単に剥すことができる。よって、迅速容易に、且つ、多額の費用をかけることなく広告の交換をすることができるという効果がある。
【００１９】
また、マグネットシートは上記方法で人為的に剥すことは容易であるが、マグネットシートは永久磁性体である為、一度磁着させると自然に剥がれることはない。よって広告が落下するおそれがなく安全に屋外広告の表示をすることができる。
【００２０】
前記磁性体面は、ビル等の建築物の壁面の全部又は一部にスチール等の磁性体を点状若しくは面状に取付けることにより形成することで、広告主が所望の位置に広告表示が可能であって、大きな広告効果を得ることができる。さらには、磁性体を点状に取付け形成すれば平板からなる大型の基板を取り付ける必要がないため、湾曲した建築物の壁面にも容易に広告表示をすることができる。
【００２１】
前記磁性体面は、ビル等の建築物の壁面の全部又は一部に磁石体を取付け、磁石体にマグネットシートを磁着することにより、スチール等の磁性体に磁着する場合に比べて、強力にマグネットシートを磁着することができ常時整然と安定した広告シートの掲示状態を維持することができる。
【００２２】
前記磁性体面は、ビル等の建築物の壁面の全部又は一部に鉄粉、磁石粉等の粉状磁性体を吹きつけ等の手段により接着することにより形成することで建築物の壁面に磁性体粉が一体に密着して壁面が磁性体基板を兼ねるため、建築物の壁面の全部に粉状磁性体を吹きつけた場合や、広告を表示していない状態においても大型のスチール等からなる基板が剥き出しの状態で歩行者等の目に触れることがない。また壁面全体に磁性体粉を吹き付けておけば、広い広告表示可能な区域から広告表示者が所望の位置を選択して広告表示をすることが可能である。
【００２３】
また、マグネットシートは着脱が容易であるため、前記いずれかの方法により形成された磁性体面に広告を表示しないときには、風景画等を印刷したマグネットシート表示物を磁着させることが簡単にできる。この場合、風景画等を印刷したマグネットシート表示物を磁着させることで基板が剥き出しになることはなく、建築物の景観を乱すことがないばかりか、建築物の景観を美しくするという効果がある。
【００２４】
表面に広告表示したマグネットシートからなる広告物は、マグネットシート本体の一方面にラミネートした紙または合成樹脂フィルムからなる薄膜状印刷シートの印刷シート面に複写機、プリンター、プロッター等の印刷機を用いて広告の表示体が印刷されているものであることで、磁性体からなる建築物壁面の所望箇所に対し、所望の大きさであって広告表示が鮮明な表示性に優れた広告物を迅速かつ容易に制作し、磁着することができる。
【発明を実施するための最良の形態】
【００２５】
図１は、本発明の広告表示方法により、マグネットシートからなる広告物を建築物に磁着した状態の第一の実施の形態を示す。図１に示す広告表示対象の建築物１に、壁面がコンクリートやレンガ等の非磁性体からなるビル、映画館、イベント会場等であって、この建築物壁面２にスチール等からなる磁性体基板３を取り付ける。この磁性体基板３の表面に、厚さが０．１ｍｍ以上、好ましくは０．５ｍｍ〜０．８ｍｍ程度のマグネットシート本体４の一方面にラミネートした紙または合成樹脂フィルムからなる厚さ０．１〜０．２ｍｍ程度の薄膜状印刷シート５の印刷シート面に複写機、プリンター、プロッター等の印刷機を用いて広告の表示体が印刷されたマグネットシート６を磁着して広告表示をする。尚、マグネットシート６はマグネットシート本体４に印刷シート５をあらかじめラミネートした状態で印刷してもよいし、印刷シート５に広告の表示体を印刷したものをマグネットシート本体４にラミネートしてもよい。
【００２６】
本実施の形態において磁性体基板３は、薄板平板状で表面のマグネットシート６を磁着する面がスチール板、スチールシートまたはスチール箔等の磁性体からなり、建築物壁面３の広告表示区域に接着等の方法を用いて取り付けられている。さらに、マグネットシート端部７の捲れあがりを防ぐために磁性体基板３には、マグネットシート固定用の爪８を設けることが好ましい。本実施の形態において固定用の爪８は、磁性体基板３の四角にマグネットシート６の各端部を差し込み可能な三角形状に取り付けているが、磁性体基板６の少なくとも対向する辺にマグネットシート６の端部７を差し込み可能なガイドを設けてもよい。また特に図示しないがマグネットシート固定用の爪８等を設けない場合には、マグネットシート６の少なくとも上下、又は、左右の対向する辺に両面粘着テープを施して磁着の補強をしてもよい。
【００２７】
本発明の方法によれば、上記の磁性体基板３にマグネットシート６を磁着させて広告表示を行う。またマグネットシート６を交換する際には、マグネットシート６の端部７からを捲りあげるように磁着を解けば簡単に剥すことが可能である。尚、特に図示しないが、本願発明の屋外広告のように、広告表示区域が大型の場合にあっては、複数のマグネットシート７を隣接するように貼り合わせて一つの表示体として広告表示してもよい。この場合もマグネットシート６の着脱は容易であるため絵合わせが簡単にできる。
【００２８】
尚、図１に示す磁性体基板３は一枚の基板からなる面状に形成されているが、複数個の磁性体基板３を建築物壁面２に点状に接着または埋設させてマグネットシート６の裏面の複数個所が磁着するようにして広告表示をしてもよい。この場合、湾曲した建築物壁面２にも磁性体基板３を形成することが可能であり、湾曲自在なマグネットシート６を建築物壁面２の曲率に合わせて容易に磁着し、広告表示をすることができる。
【００２９】
さらに、本発明の広告表示方法においては、建築物壁面２の一部の区域に磁性体基板３を形成しこれに広告表示しているが、建築物壁面２の全部をスチール板等の磁性体基板３で形成し、建築物壁面２の全面に広告表示可能にしてもよい。この磁性体基板３を取り付ける作業は、建築物建築時に壁面をあらかじめ磁性体基板３で構成してもよいし、図１に示すようにコンクリートやレンガ等非磁性体からなる建築物の建築物壁面２に後から取り付けて広告表示をしてもよい。
【００３０】
図２は、本発明の広告表示方法により、マグネットシートからなる広告物を建築物に磁着した状態の第二の実施の形態を示す。図２に示す建築物９に、壁面がコンクリートやレンガ等の非磁性体からなるビル、映画館、イベント会場等の建築物壁面１０に磁石体からなる、磁石体基板１１を取り付ける。この磁石体基板１１に、図１に示すマグネットシート６を磁石体基板１１に磁着させて広告表示を行う。本実施の形態において磁石体基板１１は、永久磁石からなり、建築物壁面１０の広告表示区域に接着または埋設等の方法を用いて取り付けられている。
【００３１】
本実施の形態において、磁石体基板１１はマグネットシート６より小型の複数の永久磁石を複数個並べている。したがって湾曲した建築物壁面１０にも磁石体基板１１を形成することが可能であり、湾曲自在なマグネットシート６を建築物壁面１０の曲率に合わせて容易に磁着し、広告表示をすることができる。
【００３２】
さらに、図２にはタイル状の永久磁石からなる磁石体基板１１を図示しているが、磁石体基板をマグネットシートで形成してもよく、この場合マグネットシートからなる磁石体基板のマグネットシートを磁着する面に着色等を施せば広告を表示しない状態においても景観を乱すことがない。
【００３３】
また、図２に示す建築物９は、建築物壁面１０の一部の区域に磁石体基板１１を取り付けているが、建築物壁面１０の全部を磁石体基板１１で形成し、建築物壁面１０の全面に広告表示可能にしてもよい。この磁石体基板１１を取り付ける作業は、建築物建築時に壁面をあらかじめ磁石体基板１１で構成してもよいし、図２に示すようにコンクリートやレンガ等非磁性体からなる建築物壁面１０磁石体基板１１を後から取り付けて広告表示をしてもよい。
【００３４】
図３は、本発明の広告表示方法により、マグネットシートからなる広告物を建築物に磁着した状態の第三の実施の形態の要部拡大図を示す。図３に示す建築物１２に、壁面がコンクリートやレンガ等の非磁性体からなるビル、映画館、イベント会場等の建築物壁面１３に鉄粉または磁石粉からなる磁性体粉１４を吹きつけ等の方法を用いて接着する。この磁性体粉が吹き付けられた建築物壁面１３に図１に示すマグネットシート６を磁着させて広告表示を行う。
【００３５】
具体的には、建築物壁面１３にあらかじめ接着剤を塗布し、これに磁性体粉１４を吹きつける方法や、磁性体粉１４を接着剤とともに吹き付けて塗着させる等の方法により接着し、マグネットシート６磁着用の磁性体面を形成し広告表示をする。
【００３６】
磁性体粉を建築物壁面１３に直接吹き付け等により接着するので、湾曲した建築物壁面１３に一体に磁性体基板を形成することが可能であり、湾曲自在なマグネットシート６を建築物壁面１３の曲率に合わせて容易に磁着することができる。さらに、磁性体粉１４は、微細な粉体であるので、建築物壁面１３にマグネットシート６を磁着しない状態において大型の基板が看者の目に触れることはない。
【００３７】
また、磁性体粉１４の吹き付けを建築物壁面１３の一部に施して特定の区域を広告表示区域として広告を表示してもよいし、建築物壁面１３の全部に施して、全面に広告表示を施してもよいし、また広告表示者が所望する位置を選択して広告を表示してもよい。
【００３８】
さらに、これら実施の形態において、マグネットシート６の着脱はとても容易であるので、広告表示体を印刷したマグネットシート６を表示しないときは、風景画等を印刷したマグネットシート表示物を磁着してもよい。
【図面の簡単な説明】
【００３９】
【図１】本願発明の広告表示方法によりマグネットシートからなる広告物を磁着表示した建築物の斜視図。
【図２】本願発明の第二の実施の形態を示す広告物を磁着表示した建築物の斜視図。
【図３】本願発明の第三の実施の形態を示す広告物を磁着表示した建築物の要部拡大図。
【符号の説明】
【００４０】
１    建築物構造
２    建築物壁面
３    磁性体基板
４    マグネットシート本体
５    印刷シート
６    マグネットシート
７    マグネットシート端部
８    マグネットシート固定用爪
９    建築物構造
１０  建築物壁面
１１  磁石体基板
１２  建築物構造
１３  建築物壁面
１４  磁性体粉
【図１】
2006313204.tif 000003
【図２】
2006313204.tif 000004
【図３】
2006313204.tif 000005